(57)【要約】【課題】独立照明、モバイル電源またはホルダーなどとしての多様な機能を備えたハンドヘルド装置補助具を提供すること。【解決手段】内部に機能モジュールが装着される本体１０と、両端が灯光端２１と枢接端２２である灯光旋回アーム２０を備え、枢接端２２と本体１０の端部を相互に枢着し、灯光旋回アーム２０と本体１０の間に第１挟角θ１を形成し、灯光旋回アーム２０を水平面に置き、本体１０を起立させた時、灯光端２１がハンドヘルド装置の下端部を受けると共に、本体１０がハンドヘルド装置の表面を支持するスタンドとして利用可能であり、灯光旋回アーム２０と本体１０の間に第２挟角を形成し、本体１０を水平面に立たせ、その上方に灯光旋回アーム２０を起立させた時、灯光端２１を照明に利用可能である。【選択図】図１
0003195829.tif 000002
【実用新案登録請求の範囲】
【請求項１】
ハンドヘルド装置補助具であって、
内部に少なくとも１個の機能モジュールが装着される本体と、両端がそれぞれ灯光端と枢接端である灯光旋回アームとを備え、
前記枢接端と前記本体の端部とが相互に枢接され、前記灯光旋回アームを前記本体に対して回転させることにより、前記灯光旋回アームと前記本体との間に複数角度の挟角が形成され、
前記灯光旋回アームと前記本体との間に第１挟角を形成し、前記灯光旋回アームを水平面に置き、前記本体を起立させた時、前記灯光端がハンドヘルド装置の下端部を受けると共に、前記本体が前記ハンドヘルド装置の表面を支持するスタンドとして利用可能で、かつ、前記灯光旋回アームの灯光端を照明に利用可能であり、
前記灯光旋回アームと前記本体との間に第２挟角を形成し、かつ前記本体を水平面に立たせ、その上方に前記灯光旋回アームを起立させた時、前記灯光旋回アームの灯光端を照明に利用可能であることを特徴とする、ハンドヘルド装置補助具。
【請求項２】
前記本体のいずれか１つの表面に立板が枢着され、前記立板を回転させて前記本体から起こすことにより、前記本体を水平面上に立たせた時の支持とすることを特徴とする、請求項１に記載のハンドヘルド装置補助具。
【請求項３】
灯頭が前記灯光端上に回転可能に枢接されていることを特徴とする、請求項１に記載のハンドヘルド装置補助具。
【請求項４】
前記灯光旋回アームの本体側の表面において、前記灯頭の下縁箇所に、前記ハンドヘルド装置の下縁を支持するための凹弧部を形成してあることを特徴とする、請求項３に記載のハンドヘルド装置補助具。
【請求項５】
前記本体に弾性を有する金属ブックマーカーが設けられたことを特徴とする、請求項１に記載のハンドヘルド装置補助具。
【請求項６】
前記本体に内装される機能モジュールは、充電電池モジュール、少なくとも１つの伸縮線モジュール、少なくとも１つのＵＳＢ  ＨＵＢモジュール、ＯＴＧデータ伝送モジュール及び無線伝送モジュールのうちの複数の組合せより成ることを特徴とする、請求項１に記載のハンドヘルド装置補助具。
【考案の詳細な説明】
【技術分野】
【０００１】
本考案は、ハンドヘルド装置に対して独立照明、モバイル電源、データ伝送またはホルダーなどとしての多様な機能を備えたハンドヘルド装置補助具に関する。
【背景技術】
【０００２】
従来のモバイル電源は、主に、複数個の蓄電素子と、少なくとも１枚の充電基板と、少なくとも１つの接続端子とを備える。充電基板は複数個の蓄電素子に対して充電を行い、これら複数個の蓄電素子は、接続端子を利用して一個または複数個のハンドヘルド装置に対して充電を行う。
【考案の概要】
【考案が解決しようとする課題】
【０００３】
しかし、上記従来のモバイル電源のほとんどは、充電を行うために電源コードを別途携帯する必要があり、しかも、その大部分が単一の機能を備えたものである。多様な機能の要求に応えることができないため、ビジネスマンまたは旅行者（以下、使用者と称する）にとっては非常に不便であった。
本考案が解決しようとする課題は、上述の問題を解決し、独立照明、モバイル電源またはホルダーなどとしての多様な機能を備えたハンドヘルド装置補助具を提供することにある。
【課題を解決するための手段】
【０００４】
本考案のハンドヘルド装置補助具は、内部に少なくとも１個の機能モジュールが装着される本体と、両端がそれぞれ灯光端と枢接端である灯光旋回アームとを備え、前記枢接端と前記本体の端部とが相互に枢接され、前記灯光旋回アームを前記本体に対して回転させることにより、前記灯光旋回アームと前記本体との間に複数角度の挟角が形成される。前記灯光旋回アームと前記本体との間に第１挟角を形成し、前記灯光旋回アームを水平面に置き、前記本体を起立させた時、前記灯光端がハンドヘルド装置の下端部を受けると共に、前記本体が前記ハンドヘルド装置の表面を支持するスタンドとして利用可能で、かつ、前記灯光旋回アームの灯光端を照明に利用可能である。前記灯光旋回アームと前記本体との間に第２挟角を形成し、かつ前記本体を水平面に立たせ、その上方に前記灯光旋回アームを起立させた時、前記灯光旋回アームの灯光端を照明に利用可能である。
【０００５】
以下の構成を採用しても良い。
前記本体のいずれか１つの表面に立板が枢着され、前記立板を回転させて前記本体から起こすことにより、前記本体を水平面上に立たせた時の支持とする構成。
灯頭が前記灯光端上に回転可能に枢接されている構成。
前記灯光旋回アームの本体側の表面において、前記灯頭の下縁箇所に、前記ハンドヘルド装置の下縁を支持するための凹弧部を形成してある構成。
前記本体に弾性を有する金属ブックマーカーが設けられた構成。
前記本体に内装される機能モジュールが、充電電池モジュール、少なくとも１つの伸縮線モジュール、少なくとも１つのＵＳＢ  ＨＵＢモジュール、ＯＴＧデータ伝送モジュール及び無線伝送モジュールのうちの複数の組合せより成る構成。
【考案の効果】
【０００６】
本考案によれば、必要に応じて、各タイプの照明、高速充電のモバイル電源及びハンドヘルド装置の専用ホルダーなどとして利用可能であり、同時に、本体内部に設けられた機能モジュールによる作業が行われ、これにより、使用者の多くの要求を一機で満足させることができる。
【図面の簡単な説明】
【０００７】
【図１】本考案の実施例を示すハンドヘルド装置補助具の、本体と灯光旋回アームとの間に第１挟角が形成された状態の斜視図である。
【図２】本考案の実施例を示すハンドヘルド装置補助具の、ハンドヘルド装置のスタンドとして使用された状態の斜視図である。
【図３】本考案の実施例を示すハンドヘルド装置補助具の、照明用灯光として使用された状態の斜視図である。
【図４】本考案の実施例を示すハンドヘルド装置補助具の、本体と灯光旋回アームとの間に第２挟角が形成された状態の斜視図である。
【図５】本考案の実施例を示すハンドヘルド装置補助具の、ノート型コンピュータ及びハンドヘルド装置の接続状態における斜視図である。
【図６】本考案の実施例を示すハンドヘルド装置補助具の、充電電池モジュール及びハンドヘルド装置の接続状態における斜視図である。
【図７】本考案の実施例を示すハンドヘルド装置補助具の、充電電池モジュール及び複数のハンドヘルド装置の接続状態における斜視図である。
【図８】本考案の実施例を示すハンドヘルド装置補助具及びハンドヘルド装置の直接結合前における斜視図である。
【考案を実施するための形態】
【０００８】
以下、本考案の実施例を図面に基づいて詳細に説明する。
図１に示すように、本考案のハンドヘルド装置補助具は、本体１０と、灯光旋回アーム２０とを備える。
本体１０の内部には、一個または複数個の機能モジュール（未図示）が装着される。
灯光旋回アーム２０の一端と本体１０とは相互に枢接され、灯光旋回アーム２０が本体１０に対して様々な多角度をなすよう回転可能であって、灯光旋回アーム２０と本体１０との間に異なる挟角を形成することで異なる用途が生まれる。
【０００９】
灯光旋回アーム２０の一端に灯光端２１が設けられ、灯光端２１上に灯頭２３が枢接され、灯頭２３が灯光端２１に対して回転可能であるため、異なる角度に回転させることにより、異なる角度の照明を生じる。
灯光旋回アーム２０の他端に枢接端２２が設けられ、枢接端２２と本体１０の端部１１とが相互に枢接される。灯光旋回アーム２０が本体１０に対して様々な角度をなすよう回転可能であるため、灯光旋回アーム２０と本体１０との間に少なくとも２つの挟角が形成される。本実施例においては、挟角が、９０°に近い第１挟角θ１及び約１８０°の第２挟角θ２である場合を例として、その作用効果について説明する。
【００１０】
図１及び図２に示すように、灯光旋回アーム２０を本体１０に対して回転させることにより、本体１０との間に第１挟角θ１を形成し、灯光旋回アーム２０を水平面上に置き、本体１０を起立させた時、灯光旋回アーム２０の灯光端２１がハンドヘルド装置３０の下端部を受けると共に、本体１０がハンドヘルド装置３０の表面を支持してハンドヘルド装置３０の専用スタンドになる。
この時、灯光旋回アーム２０の本体１０側の表面において、灯頭２３の下縁位置に凹弧部２１１を形成することにより、さらに安定してハンドヘルド装置３０の下縁を支持することができる。
【００１１】
図３に示すように、灯光旋回アーム２０と本体１０との間に第１挟角θ１を形成し、本体１０を水平面上に置き、本体１０を起立させると、灯光旋回アーム２０の灯光端２１を照明用途に利用することができる。そして、本体１０と、その表面に設けられた弾性を有する金属ブックマーカー１３とで書籍の内頁を挟み、灯光端２１で照明することにより、飛行機や車両に搭乗した時、快適に読書をすることができる。
【００１２】
図４に示すように、灯光旋回アーム２０を本体１０に対して回転させることにより、灯光旋回アーム２０と本体１０との間に第２挟角θ２を形成し、かつ本体１０を水平面に立たせ、その上に光旋回アーム２０を起立させた時、灯光旋回アーム２０の灯光端２１を丁度テーブルライトのような照明用途として利用することができる。また、本体１０のいずれか１つの表面に立板１２の一端を枢着し、本体１０を水平面上に立たせる際に、立板１２を回転させて本体１０の表面から起こすと、立板１２に支持されて本体１０を水平面上に安定して立たせることができる。
【００１３】
図５〜図７に示すように、本体１０に内装される機能モジュールは、充電電池モジュール（未図示）、少なくとも１つの伸縮線モジュールＤ１、少なくとも１つのＵＳＢ  ＨＵＢモジュールＤ２、ＯＴＧデータ伝送モジュール（未図示）及び無線伝送モジュールＤ３のうちのいずれか１つまたは複数の組合せであってもよく、このことから、旅行者またはビジネスマンの様々な要求を満足させることができる。
【００１４】
一般的に言えば、旅行者でも、ビジネスマン（使用者と略称する）でも、その要求が多方面に存在するため、使用者が携帯する補助装置は多機能用途を有する必要があり、使用者を満足させるためには、本体１０一機により多用途機能が提供される。即ち、本体１０の内部には、ＯＴＧデータ伝送モジュール、ＵＳＢ  ＨＵＢモジュールＤ２、充電電池モジュールや無線伝送モジュールＤ３などの種々な機能モジュールを同時に取り付けることができることから（本考案において、どんな種の機能モジュールでも限定されず、モジュール化可能な機能であれば、いずれも機能モジュールとすることができる。）、使用者は、本体１０一機に複数台の電子装置、例えば、ハンドヘルド装置３０及びノート型コンピュータＮＢを同時に接続可能であり、異なる機能の多重化リアルタイム作業が提供され、これにより、使用者の多方面の要求を一機で満足させることができる。
【００１５】
図６と図７を参照して説明すると、本体１０はＯＴＧデータ伝送モジュールを使用してデータ伝送を行いながら、充電電池モジュールを使用してハンドヘルド装置３０に対して高速充電を行うことができる（図６参照）。もし使用者が、電力不足または機能不足と判断した時でも、別途に外付けの電源で電力供給してもよく、充電モジュールに対して高速充電を行うと同時に、その他の複数の電子装置に適当な電力を供給することができる（図７参照）。また、伸縮線モジュールＤ１を増加してその他の不足した機能を拡張することもでき、例えば、伸縮線モジュールＤ１をネットワークルーター（未図示）に直接に接続することができることから、本体１０に不足した機能を別途拡張することができ、本考案のハンドヘルド装置補助具は、本体１０の内部に設けられる各タイプの機能モジュールにより異なる機能の多重化リアルタイム作業を行い、同時に灯光旋回アーム２０の灯光端２１を使用して種々な照明用途として利用することもできる。
【００１６】
図８に示すように、本考案のハンドヘルド装置補助具は、前述した異なる複数の機能の多重化リアルタイム作業を行う以外に、ハンドヘルド装置３０と直接結合されることにより、モバイル充電用途に利用することができる。ハンドヘルド装置３０に係止板３０１が貼り付けられると共に、係止板３０１の表面に少なくとも１対の係止体３０２が設けられる。本体１０の表面に係止板３０１と対応する嵌着溝１０１が形成される。そして、係止体３０２を嵌着溝１０１内に係止して下向きに滑らせると、本体１０とハンドヘルド装置３０とが緊密に結合される。
【００１７】
本考案のハンドヘルド装置補助具は、使用者の要求に応じて、各タイプの照明、高速充電のモバイル電源及びハンドヘルド装置３０の専用ホルダーなどとしての多様な機能を備える以外に、本体１０の内部に設けられる多様の機能モジュールにより異なる機能の多重化リアルタイム作業を行うことが可能で、これにより、使用者の多くの要求を一機で満足させることができる。
【００１８】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１９】
１０：本体
１０１：嵌着溝
１１：端部
１２：立板
１３：金属ブックマーカー
２０：灯光旋回アーム
２１：灯光端
２１１：凹弧部
２２：枢接端
２３：灯頭
３０：ハンドヘルド装置
３０１：係止板
３０２：係止体
Ｄ１：伸縮線モジュール
Ｄ２：ＵＳＢ  ＨＵＢモジュール
Ｄ３：無線伝送モジュール
ＮＢ：ノート型コンピュータ
θ１：第１挟角
θ２：第２挟角
【図１】
0003195829.tif 000003
【図２】
0003195829.tif 000004
【図３】
0003195829.tif 000005
【図４】
0003195829.tif 000006
【図５】
0003195829.tif 000007
【図６】
0003195829.tif 000008
【図７】
0003195829.tif 000009
【図８】
0003195829.tif 000010